(57)【要約】【課題】投写画像の黒レベルを向上させることが可能で、反射層形成時における反射層の層厚の管理が容易で、簡易に製造することが可能で、かつ、量産性に優れた反射型スクリーンの製造方法を提供する。【解決手段】鋸歯形状からなる複数の傾斜部２２及び傾斜部２２の一部に形成された反射層を有し、斜めより入射する投写光を正面に向けて反射する反射型スクリーンの製造方法であって、弾性を有する複数の傾斜部２２が一方の面に配置され、光吸収性を有する基材２０を準備する基材準備工程と、基材２０における一方の面側からシルクスクリーン印刷用の版５０を被せる版被せ工程と、反射層を形成するための材料３０ａを版５０上に載せた状態で、複数の傾斜部２２を倒すように基材２０に対して圧力をかけながらシルクスクリーン印刷を行う印刷工程と、基材２０から版５０を離隔させる版離隔工程とを含む。【選択図】図４
2008292723.tif 000002
【特許請求の範囲】
【請求項１】
鋸歯形状からなる複数の傾斜部及び前記傾斜部の一部に形成された反射層を有し、斜めより入射する投写光を正面に向けて反射する反射型スクリーンの製造方法であって、
弾性を有する複数の傾斜部が一方の面に配置され、光吸収性を有する基材を準備する基材準備工程と、
前記基材における前記一方の面側からシルクスクリーン印刷用の版を被せる版被せ工程と、
前記反射層を形成するための材料を前記版上に載せた状態で、前記複数の傾斜部を倒すように前記基材に対して圧力をかけながらシルクスクリーン印刷を行う印刷工程と、
前記基材から前記版を離隔させる版離隔工程とを含むことを特徴とする反射型スクリーンの製造方法。
【請求項２】
請求項１に記載の反射型スクリーンの製造方法において、
前記反射層を形成するための材料として、紫外線硬化性の材料を用い、
シルクスクリーン印刷後の前記基材に対して紫外線を照射する紫外線照射工程をさらに含むことを特徴とする反射型スクリーンの製造方法。
【請求項３】
請求項１に記載の反射型スクリーンの製造方法において、
前記反射層を形成するための材料として、熱硬化性の材料を用い、
シルクスクリーン印刷後の前記基材を所定温度に加熱する加熱工程をさらに含むことを特徴とする反射型スクリーンの製造方法。
【請求項４】
請求項１〜３のいずれかに記載の反射型スクリーンの製造方法において、
前記印刷工程において前記基材に対して加える前記圧力は、前記複数の傾斜部の傾斜面に交差する方向と同一方向のベクトル成分を有することを特徴とする反射型スクリーンの製造方法。
【発明の詳細な説明】
【技術分野】
【０００１】
本発明は、反射型スクリーンの製造方法に関する。
【背景技術】
【０００２】
従来、斜めより入射する投写光を正面に向けて反射する反射型スクリーンが知られている（例えば、特許文献１〜３参照。）。従来の反射型スクリーンは、複数の傾斜部が一方の面に配置された光吸収性の基材と、各傾斜部に形成された反射層とを有する。
【０００３】
このような従来の反射型スクリーンの製造方法としては、反射層を形成するための材料を傾斜部に吹き付けて塗布することにより反射型スクリーンを製造する方法（例えば、特許文献１参照。）や、反射層を形成するための材料をリバースコーター等のコーターにより傾斜部に塗布することにより反射型スクリーンを製造する方法（例えば、特許文献２参照。）、あるいは、反射層を形成するための材料をスパッタ又は蒸着することにより反射型スクリーンを製造する方法（例えば、特許文献３参照。）が知られている。
【０００４】
【特許文献１】特開２００３−１５６７９９号公報
【特許文献２】特開２００６−２３６９３号公報
【特許文献３】特開２００７−９４０４７号公報
【発明の開示】
【発明が解決しようとする課題】
【０００５】
ところで、反射型スクリーンは、傾斜部の全面にわたって反射層が形成されているものより、傾斜部のうち投写光が入射する領域には反射層が形成され、傾斜部のうち投写光が入射しない領域には反射層が形成されていないものの方が、投写画像の黒レベルを向上させるという観点から言えば好ましい。
しかしながら、従来の反射型スクリーンの製造方法によれば、後者の反射型スクリーン、すなわち、傾斜部に対して反射層が塗り分けられて形成された反射型スクリーンを製造するのは容易なことではない。その結果、投写画像の黒レベルを向上させることは容易ではない。
【０００６】
また、従来の反射型スクリーンの製造方法によれば、反射層形成時における反射層の層厚の管理が難しいという問題がある。
【０００７】
また、従来の反射型スクリーンの製造方法によれば、反射層を形成するために複雑な装置を用いなければならず、作業に手間がかかり、量産性に乏しいという問題がある。
【０００８】
そこで、本発明は、上記の問題を解決するためになされたもので、投写画像の黒レベルを向上させることが可能で、反射層形成時における反射層の層厚の管理が容易で、簡易に製造することが可能で、かつ、量産性に優れた反射型スクリーンの製造方法を提供することを目的とする。
【課題を解決するための手段】
【０００９】
本発明の反射型スクリーンの製造方法は、鋸歯形状からなる複数の傾斜部及び前記傾斜部の一部に形成された反射層を有し、斜めより入射する投写光を正面に向けて反射する反射型スクリーンの製造方法であって、弾性を有する複数の傾斜部が一方の面に配置され、光吸収性を有する基材を準備する基材準備工程と、前記基材における前記一方の面側からシルクスクリーン印刷用の版を被せる版被せ工程と、前記反射層を形成するための材料を前記版上に載せた状態で、前記複数の傾斜部を倒すように前記基材に対して圧力をかけながらシルクスクリーン印刷を行う印刷工程と、前記基材から前記版を離隔させる版離隔工程とを含むことを特徴とする。
【００１０】
このため、本発明の反射型スクリーンの製造方法によれば、複数の傾斜部は弾性を有するため、印刷工程において複数の傾斜部を倒すように基材に対して圧力をかけることにより、傾斜部の一部が、隣接する傾斜部によって覆われた状態となる（後述する図４（ｃ）参照。）。この状態でシルクスクリーン印刷を行うことにより、傾斜部のうち投写光が入射する領域（傾斜部における頂部側の領域を含む領域）に反射層を形成し、傾斜部のうち投写光が入射しない領域（傾斜部における底部側の領域を含む領域）に反射層を形成しないようにすることが可能となる。すなわち、傾斜部に対して反射層を塗り分けて形成することが可能となるため、投写画像の黒レベルを向上させることが可能となる。
【００１１】
また、本発明の反射型スクリーンの製造方法によれば、版の厚みを適宜調整することにより反射層の層厚を比較的容易に調整することができるため、反射層形成時における反射層の層厚の管理が容易となる。
【００１２】
また、本発明の反射型スクリーンの製造方法によれば、シルクスクリーン印刷という簡易な方法によって反射層を形成することとしているため、複雑な装置を用いることも無く、作業にそれほど手間がかかることもない。すなわち、本発明の反射型スクリーンの製造方法は、簡易に製造することが可能で、量産性に優れた製造方法となる。
【００１３】
また、本発明の反射型スクリーンの製造方法によれば、シルクスクリーン印刷を行うことによって反射層を形成することとしているため、従来の反射型スクリーンの製造方法の場合に比べて、反射層として用いる材料及び基材として用いる材料の選択の自由度が高いという効果もある。
【００１４】
なお、本発明の反射型スクリーンの製造方法によれば、印刷工程において倒された状態の複数の傾斜部は、版離隔工程を行うことによって、傾斜部の弾性力によって自然と元の状態（倒れる前の状態）に戻るため、本発明を実施することにより得られる反射型スクリーンは、斜めより入射する投写光を正面に向けて反射することが可能な反射型スクリーンとなる。
また、本発明の反射型スクリーンの製造方法によれば、光吸収性の基材を用いているため、本発明を実施することにより得られる反射型スクリーンは、外光を吸収することができ、明るい環境においても投写画像のコントラストの向上を図ることが可能な反射型スクリーンとなる。
【００１５】
本発明の反射型スクリーンの製造方法においては、前記反射層を形成するための材料として、紫外線硬化性の材料を用い、シルクスクリーン印刷後の前記基材に対して紫外線を照射する紫外線照射工程をさらに含むことが好ましい。
【００１６】
このような方法とすることにより、傾斜部に印刷された反射層を硬化させることができ、上述の優れた反射型スクリーンを容易に製造することができるようになる。
【００１７】
本発明の反射型スクリーンの製造方法においては、前記反射層を形成するための材料として、熱硬化性の材料を用い、シルクスクリーン印刷後の前記基材を所定温度に加熱する加熱工程をさらに含むことが好ましい。
【００１８】
このような方法とすることによっても、傾斜部に印刷された反射層を硬化させることができ、上述の優れた反射型スクリーンを容易に製造することができるようになる。
【００１９】
本発明の反射型スクリーンの製造方法においては、前記印刷工程において前記基材に対して加える前記圧力は、前記複数の傾斜部の傾斜面に交差する方向と同一方向のベクトル成分を有することが好ましい。
【００２０】
このような方法とすることにより、複数の傾斜部が同一方向に良好に倒れるようになる。
【発明を実施するための最良の形態】
【００２１】
以下、本発明の反射型スクリーンの製造方法について、図に示す実施の形態に基づいて説明する。
【００２２】
［実施形態］
図１は、実施形態に係る反射型スクリーン１０を用いたプロジェクションシステムの構成図である。
図２は、実施形態に係る反射型スクリーン１０を説明するために示す図である。図２（ａ）は反射型スクリーン１０の要部断面図であり、図２（ｂ）は図２（ａ）の符号Ａで示す部分を拡大して示す図である。
【００２３】
図３は、実施形態に係る反射型スクリーンの製造方法を説明するために示すフローチャートである。
図４は、実施形態に係る反射型スクリーンの製造方法を説明するために示す図である。図４（ａ）〜図４（ｆ）は各工程を模式的に示す図である。なお、図４（ｃ）に示す矢印Ｂは、版５０から基材２０に対して加える圧力の方向であり、図４（ｄ）に示す矢印Ｃは、スキージ６０を動かす方向である。
【００２４】
実施形態に係る反射型スクリーン１０は、図１及び図２（ａ）に示すように、例えば近接投写型のプロジェクタ１を備えるプロジェクションシステムに用いる反射型スクリーンであって、斜めより入射する投写光を正面に向けて反射することにより、プロジェクタ１からの画像光を拡大投影するものである。
【００２５】
反射型スクリーン１０は、図２に示すように、鋸歯形状からなる複数の傾斜部２２を有する光吸収性の基材２０と、傾斜部２２の一部に形成された反射層３０とを有する。傾斜部２２のうち投写光が入射する領域（傾斜部２２における頂部側の領域２４を含む領域）には、反射層３０が形成されており、傾斜部２２のうち投写光が入射しない領域（傾斜部２２における底部側の領域２６を含む領域）には、反射層３０が形成されていない。つまり、反射型スクリーン１０は、傾斜部２２の全面にわたって反射層３０が形成されているものではなく、傾斜部２２に対して反射層３０が塗り分けられて形成されたものである。
【００２６】
実施形態に係る反射型スクリーンの製造方法は、上述の反射型スクリーン１０を製造するための方法であって、図３に示すように、「基材準備工程」、「版被せ工程」、「印刷工程」、「版離隔工程」及び「紫外線照射工程」が順次実施される。以下、これら各工程を順次説明する。
【００２７】
１．基材準備工程
まず、図４（ａ）に示すように、反射型スクリーン１０の材料となる基材２０を準備する（図３のステップＳ１０）。
【００２８】
基材２０は、弾性を有する複数の傾斜部２２が一方の面に配置された構造からなり、光吸収性のフィラーと、弾性を有するバインダー樹脂とを有する。フィラーとしては、例えば、カーボンブラック等の顔料や、黒色系の色素粒子等を好適に用いることができる。
【００２９】
バインダー樹脂としては、例えば、弾性を有する熱可塑性エラストマーを好適に用いることができる。具体的には、塩化ビニル系樹脂、ウレタン系樹脂、ポリオレフィン系樹脂などを好適に用いることができる。
【００３０】
なお、上記のフィラー及びバインダー樹脂のほか、添加剤として、硬化剤、帯電防止剤、防汚処理剤、バインダー樹脂の劣化を防ぐための紫外線吸収剤などを適宜添加してもよい。
【００３１】
２．版被せ工程
次に、図４（ｂ）に示すように、基材２０における一方の面（複数の傾斜部２２が配置された面）側から、シルクスクリーン印刷用の版５０を被せる（図３のステップＳ２０）。
【００３２】
版５０は、枠部５２と、枠部５２によって引張・固定されたスクリーン部５４とを有する。スクリーン部５４は、例えば、絹や化学繊維材料（例えばポリエステル樹脂）がメッシュ状に編み込まれた構成からなり、印刷面に対応した複数の微細な孔が形成されている。なお、スクリーン部５４は、次の「印刷工程」において基材２０に対して所定の圧力をかけることから鑑みて、所定の強度（当該圧力をかけたときにも印刷作業に影響を及ぼさないだけの強度）を有することが好ましい。
【００３３】
３．印刷工程
次に、図４（ｃ）及び図４（ｄ）に示すように、反射層を形成するための材料３０ａを版５０のスクリーン部５４上に載せた状態で、複数の傾斜部２２を倒すように基材２０に対して圧力をかけながらシルクスクリーン印刷を行う（図３のステップＳ３０）。このときに加える圧力は、複数の傾斜部２２の傾斜面に交差する方向、例えば傾斜面に垂直な方向と同一方向のベクトル成分を有する（図４（ｃ）の矢印Ｂ参照。）。スキージ６０を動かす方向は、図４（ｄ）の矢印Ｃで示す方向である。
【００３４】
反射層を形成するための材料３０ａは、光を反射するフィラーと、紫外線硬化性のバインダー樹脂とからなる。フィラーとしては、例えば、シリカ、酸化チタン、雲母、硫酸バリウム、塩化バリウム又はアルミニウム等の金属粉を好適に用いることができる。
【００３５】
バインダー樹脂としては、例えば、塩化ビニル系樹脂、ウレタン系樹脂、ポリオレフィン系樹脂、ポリエステル系樹脂などを好適に用いることができる。
【００３６】
なお、上記のフィラー及びバインダー樹脂のほか、添加剤として、硬化剤、帯電防止剤、防汚処理剤、バインダー樹脂の劣化を防ぐための紫外線吸収剤などを適宜添加してもよい。
【００３７】
４．版離隔工程
次に、基材２０から版５０を離隔させる（図３のステップＳ４０）。これにより、図４（ｅ）に示すように、傾斜部２２の弾性力によって自然と元の状態（倒れる前の状態）に戻る。
【００３８】
５．紫外線照射工程
そして、シルクスクリーン印刷後の基材２０に対して紫外線（ＵＶ）を照射する（図３のステップＳ５０）。これにより、傾斜部２２に印刷された反射層を形成するための材料３０ａが硬化して、反射層３０となる。
【００３９】
以上により、図２に示す反射型スクリーン１０を製造することができる。
【００４０】
このように、実施形態に係る反射型スクリーンの製造方法によれば、複数の傾斜部２２は弾性を有するため、印刷工程において複数の傾斜部２２を倒すように基材２０に対して圧力をかけることにより、傾斜部２２における底部側の領域２６が、隣接する傾斜部２２によって覆われた状態となる（図４（ｃ）参照。）。この状態でシルクスクリーン印刷を行うことにより、傾斜部２２のうち投写光が入射する領域（傾斜部２２における頂部側の領域２４を含む領域）に反射層３０を形成し、傾斜部２２のうち投写光が入射しない領域（傾斜部２２における底部側の領域２６を含む領域）に反射層３０を形成しないようにすることが可能となる。すなわち、傾斜部２２に対して反射層３０を塗り分けて形成することが可能となるため、投写画像の黒レベルを向上させることが可能となる。
【００４１】
また、実施形態に係る反射型スクリーンの製造方法によれば、版の厚みを適宜調整することにより反射層３０の層厚を比較的容易に調整することができるため、反射層形成時における反射層３０の層厚の管理が容易となる。
【００４２】
また、実施形態に係る反射型スクリーンの製造方法によれば、シルクスクリーン印刷という簡易な方法によって反射層３０を形成することとしているため、複雑な装置を用いることも無く、作業にそれほど手間がかかることもない。すなわち、実施形態に係る反射型スクリーンの製造方法は、簡易に製造することが可能で、量産性に優れた製造方法となる。
【００４３】
また、実施形態に係る反射型スクリーンの製造方法によれば、シルクスクリーン印刷を行うことによって反射層３０を形成することとしているため、従来の反射型スクリーンの製造方法の場合に比べて、反射層として用いる材料及び基材として用いる材料の選択の自由度が高いという効果もある。
【００４４】
なお、実施形態に係る反射型スクリーンの製造方法によれば、印刷工程において倒された状態の複数の傾斜部２２は、版離隔工程を行うことによって、傾斜部２２の弾性力によって自然と元の状態（倒れる前の状態）に戻るため、反射型スクリーン１０は、斜めより入射する投写光を正面に向けて反射することが可能な反射型スクリーンとなる。
また、実施形態に係る反射型スクリーンの製造方法によれば、光吸収性の基材２０を用いているため、反射型スクリーン１０は、外光を吸収することができ、明るい環境においても投写画像のコントラストの向上を図ることが可能な反射型スクリーンとなる。
【００４５】
実施形態に係る反射型スクリーンの製造方法においては、反射層を形成するための材料３０ａとして、紫外線硬化性の材料を用い、シルクスクリーン印刷後の基材２０に対して紫外線を照射する紫外線照射工程をさらに含んでいる。これにより、傾斜部２２に印刷された反射層３０（反射層を形成するための材料３０ａ）を硬化させることができ、上述の優れた反射型スクリーン１０を容易に製造することができるようになる。
【００４６】
実施形態に係る反射型スクリーンの製造方法においては、印刷工程において基材２０に対して加える圧力は、複数の傾斜部２２の傾斜面に交差する方向と同一方向のベクトル成分を有するため、複数の傾斜部２２が同一方向に良好に倒れるようになる。
【００４７】
以上、本発明の反射型スクリーンの製造方法を上記の実施形態に基づいて説明したが、本発明は上記の実施形態に限定されるものではなく、その要旨を逸脱しない範囲において種々の態様において実施することが可能であり、例えば次のような変形も可能である。
【００４８】
上記実施形態に係る反射型スクリーンの製造方法においては、反射層を形成するための材料として、紫外線硬化性の材料を用い、シルクスクリーン印刷後の基材に対して紫外線を照射する紫外線照射工程をさらに含む方法であったが、本発明はこれに限定されるものではなく、反射層を形成するための材料として、熱硬化性の材料を用い、上記紫外線照射工程に代えて、シルクスクリーン印刷後の基材を所定温度に加熱する加熱工程をさらに含む方法であってもよい。
【図面の簡単な説明】
【００４９】
【図１】実施形態に係る反射型スクリーン１０を用いたプロジェクションシステムの構成図。
【図２】実施形態に係る反射型スクリーン１０を説明するために示す図。
【図３】実施形態に係る反射型スクリーンの製造方法を説明するために示すフローチャート。
【図４】実施形態に係る反射型スクリーンの製造方法を説明するために示す図。
【符号の説明】
【００５０】
１…プロジェクタ、２…反射ミラー、１０…反射型スクリーン、２０…基材、２２…傾斜部、２４…頂部側の領域、２６…底部側の領域、３０…反射層、３０ａ…反射層を形成するための材料、５０…版、５２…枠部、５４…スクリーン部、６０…スキージ
【図１】
2008292723.tif 000003
【図２】
2008292723.tif 000004
【図３】
2008292723.tif 000005
【図４】
2008292723.tif 000006